(57)【要約】【課題】サイズを小型化することができ、安価な小ストロークのスイッチを使用してコストダウンを図ることができるシーケンシャルスイッチを提供する。【解決手段】シフトレバーの近傍に設けられたケース７の片面に、シーケンシャルポジションにおけるシフトレバーの動きと追随してスライドするスライダ８を設ける。ケース７の内部には、基部が円形軸１３に枢着され、左右の腕１４，１５の上端部がスライダ８の脚部１６の両側に係合する略Ｕ字状のスプリング１１を設け、このスプリング１１の内側位置に２個のスイッチ１７，１８を配置して、スライダの動きを検出する。【選択図】    図７
2004196136.tif 000002
【特許請求の範囲】
【請求項１】
ケースの片面にシーケンシャルポジションにおけるシフトレバーの動きと追随してスライドするスライダを設けるとともに、ケースの内部には基部がケースに枢着され、左右上端部が前記スライダの両側に係合する略Ｕ字状のスプリングを設け、このスプリングの内側位置にスライダの動きを検出するための２個のスイッチを配置したことを特徴とするシーケンシャルスイッチ。
【請求項２】
スライダがシフトレバーに固定されたレバーの先端を受けるU字溝を備えたものである請求項１記載のシーケンシャルスイッチ。
【発明の詳細な説明】
【０００１】
【発明の属する技術分野】
本発明は、シーケンシャルポジションを備えたシフトレバー装置のためのシーケンシャルスイッチに関するものである。
【０００２】
【特許文献１】特開平１０−３２９５６６号公報
【０００３】
【従来の技術】
シーケンシャル式のシフトレバー装置は、シフトレバーをドライブポジションから更にシーケンシャルポジションに移動させ、プラス方向またはマイナス方向に動かすことによって変速機にシフトアップまたはシフトダウンの信号を送るようにしたものである。この装置にはシーケンシャルポジションにおけるシフトレバーの動きを検出するためのスイッチ（シーケンシャルスイッチ）が必要である。
【０００４】
このシーケンシャルスイッチは、シフトレバー自体またはシフトレバーに固定されたレバーなどにより直接オンオフされるものであることが好ましいが、シフトレバーを挟んだ両側にそれぞれスイッチを配置すると全体のサイズが大きくなる。また、シフトレバーのストロークを吸収できる大型のスイッチが必要となり、コスト高となるなどの問題があった。
【０００５】
【発明が解決しようとする課題】
本発明は上記した従来の問題点を解決して、全体のサイズを小型化することができ、また安価な小ストロークのスイッチを使用してコストダウンを図ることができるシーケンシャルスイッチを提供するためになされたものである。
【０００６】
【課題を解決するための手段】
上記の課題を解決するためになされた本発明のシーケンシャルスイッチは、ケースの片面にシーケンシャルポジションにおけるシフトレバーの動きと追随してスライドするスライダを設けるとともに、ケースの内部には基部がケースに枢着され、左右上端部が前記スライダの両側に係合する略Ｕ字状のスプリングを設け、このスプリングの内側位置にスライダの動きを検出するための２個のスイッチを配置したことを特徴とするものである。なお、スライダがシフトレバーに固定されたレバーの先端を受けるU字溝を備えたものであることが好ましい。
【０００７】
本発明のシーケンシャルスイッチは、シフトレバーの動きと追随してスライドするスライダの動きを略Ｕ字状のスプリングに伝え、スプリングの内側位置に設けた２個のスイッチをオンオフさせるようにしたので、サイズの小型化を図ることができる。またシフトレバーのストロークをスプリングで吸収したので、小ストロークのスイッチを使用でき、コストダウンが可能となる。
【０００８】
【発明の実施の形態】
以下に本発明の好ましい実施形態を示す。
図１はシフトレバー装置の全体図であり、１は装置本体、２はシフトレバーである。シフトレバー２はシフト中心軸３を中心としてシフト操作が可能であるとともに、図２に明示されているセレクト中心軸４を中心としてセレクト操作が可能となっている。
【０００９】
装置本体１の上面には図３に示すようなゲート溝５が形成されており、シフトレバー２をゲート溝５に沿って各ポジションに動かすことができるようになっている。図３に示したとおり、Ｄ（ドライブ）ポジションからセレクトした位置にシーケンシャルポジションが設けられており、シフトレバー２を中立位置からプラス側またはマイナス側に操作することにより、シフトアップまたはシフトダウンを行うことができるようになっている。この操作方向はシフト方向とほぼ一致している。
【００１０】
図４に示すように、シフトレバー２の側面にはＬ字状のレバー６が固定されている。また装置本体１の内部のシフトレバー２の側方位置には、シーケンシャルスイッチのケース７が固定されている。図６に示すように、ケース７の片面にはスライダ８がスライド自在に設けられており、その先端はレバー６の先端を受けることができるU字溝９となっている。
【００１１】
このU字溝９の部分はケース７の表面から突出しているので、シフトレバー２を図４に示すＤポジションから図５に示すシーケンシャルポジションにセレクト操作すると、レバー６の先端が図６のようにU字溝９に嵌まり込むようになっている。スライダ８のスライド方向はシーケンシャルポジションにおけるシフトレバー２の動きの方向と一致させてあるため、スライダ８はシフトレバー２の動きに追随してスライドすることができる。なお、シフトレバー２がＤポジションからシーケンシャルポジションにセレクトされたことは、ケース７の側面に突設されたバー１０がレバー６により押されることを利用して電気的に検出される。
【００１２】
図６に示すように、シーケンシャルスイッチのケース７の内部には略Ｕ字状で内向きの弾性を持つスプリング１１が設けられている。このスプリング１１は基部にループ１２を有する一種のつるまきばねであり、このループ１２の部分がケース７の円形軸１３に枢着されている。またスプリング１１の左右の両腕１４、１５の上端部は、スライダ８の脚部１６の両側に弾性的に係合している。
【００１３】
またケース７の内部のスプリング１１の内側位置には、２個のスイッチ１７，１８が配置されている。これらのスイッチ１７，１８は外側に接点を持つ小型で小ストロークのスイッチであり、スプリング１１の左右の両腕１４、１５によってオンオフされるものである。
【００１４】
以下に本発明のシーケンシャルスイッチの作動を説明する。
図６はシフトレバー２がＤポジションからシーケンシャルポジションの中立位置にセレクトされた状態を示すもので、この状態ではスライダ８は中心位置にある。スプリング１１の左右の両腕１４、１５の上端部は、スライダ８の脚部１６の両側に弾性的に係合しているが、スイッチ１７，１８の接点はスプリング１１の左右の両腕１４、１５からわずかに離れており、いずれもオフとなっている。
【００１５】
しかし図７に示すように、シーケンシャルポジションにおいてシフトレバー２が片側（図７の左側）に操作されると、スライダ８はレバー６の先端により押されて片側にスライドされ、スプリング１１の左側の腕１４はスライダ８の脚部１６により左側に押される。その結果、スプリング１１の全体がループ１２を中心として反時計方向に回転し、反対側（右側）の腕１４が右側のスイッチ１８の接点と接触してスイッチ１８をオンとする。
【００１６】
このスイッチ１８と腕１４との接触は、スプリング１１全体による弾力によって弾性的に行われるので、スイッチ１８が小型で小ストロークのものであっても、支障なく行われる。このとき反対側のスイッチ１７はもちろんオフであり、シフトレバー２の動きを電気信号として取り出すことができる。またシフトレバー２が反対側（右側）に操作された場合には同様に左側のスイッチ１７がオンとなる。
【００１７】
このようにして、本発明のシーケンシャルスイッチを用いれば、シーケンシャルポジションにおけるシフトレバー２の操作を電気信号として取り出し、変速機にシフトアップ信号またはシフトダウン信号を送ることができる。またシフトレバー２によりスライドされるスライダ８のストロークをスプリング１１によって弾性的に縮小したので、スイッチ１７，１８として小型で小ストロークのスイッチを使用した場合にも、スイッチを損傷することがない。
【００１８】
【発明の効果】
以上に説明したように、本発明のシーケンシャルスイッチはスプリングの内側にスイッチを配置した特有の構成を取ることによって、全体のサイズを小型化することができるとともに、安価な小ストロークのスイッチを使用してコストダウンを図ることを可能としたものである。
【図面の簡単な説明】
【図１】シフトレバー装置の全体図である。
【図２】シフトレバー装置の内部構造を示す断面図である。
【図３】ゲート溝を示す平面図である。
【図４】シフトレバーがＤポジションにある状態を示す部分断面図である。
【図５】シフトレバーがシーケンシャルポジションにある状態を示す部分断面図である。
【図６】シフトレバーがシーケンシャルポジションの中立位置にある状態を示す断面図である。
【図７】シフトレバーがシーケンシャルポジションの中立位置から操作された状態を示す断面図である。
【符号の説明】
１  シフトレバー装置の装置本体
２  シフトレバー
３  シフト中心軸
４  セレクト中心軸
５  ゲート溝
６  レバー
７  ケース
８  スライダ
９  U字溝
１０  バー
１１  スプリング
１２  ループ
１３  円形軸
１４  スプリングの腕
１５  スプリングの腕
１６  スライダの脚部
１７  スイッチ
１８  スイッチ
【図１】
2004196136.tif 000003
【図２】
2004196136.tif 000004
【図３】
2004196136.tif 000005
【図４】
2004196136.tif 000006
【図５】
2004196136.tif 000007
【図６】
2004196136.tif 000008
【図７】
2004196136.tif 000009